(57)【要約】【課題】カードの傾きや姿勢を矯正しないまま情報入力装置にカードを搬送させた場合、カードが斜行して、カードに装着された磁気テープやＩＣチップの位置と情報入力位置が一致せずに入力エラーやカード斜行によりジャムが発生するという問題があった。【解決手段】記録媒体に画像を記録する画像記録手段と、その記録媒体の第１記憶部にデータを入力する第１の情報入力手段と、第１記憶部とは異なる記録媒体の第２記憶部にデータを入力する第２の情報入力手段とを備えた記録装置に次の構成を備える。即ち、第１の情報入力手段に記録媒体を搬送する第１の搬送手段と、第２の情報入力手段に記録媒体を搬送する第２の搬送手段とを備える。またさらに、第１の搬送手段により記録媒体を搬送する際に、前記記録媒体の斜行を矯正する第１の矯正手段と、第２の搬送手段により記録媒体を搬送する際に、前記記録媒体の斜行を矯正する第２の矯正手段とを備える。【選択図】  図３
2020112947.tif 000002
【特許請求の範囲】
【請求項１】
記録媒体に画像を記録する画像記録手段と、前記記録媒体の第１記憶部にデータを入力する第１の情報入力手段と、前記第１記憶部とは異なる前記記録媒体の第２記憶部にデータを入力する第２の情報入力手段とを備えた記録装置であって、
前記第１の情報入力手段に前記記録媒体を搬送する第１の搬送手段と、
前記第２の情報入力手段に前記記録媒体を搬送する第２の搬送手段と、
前記第１の搬送手段により前記記録媒体を搬送する際に、前記記録媒体の斜行を矯正する第１の矯正手段と、
前記第２の搬送手段により前記記録媒体を搬送する際に、前記記録媒体の斜行を矯正する第２の矯正手段とを有することを特徴とする記録装置。
【請求項２】
記録媒体を前記記録装置へと搬入する搬入手段とを更に有し、
前記搬入手段により搬入された前記記録媒体に対し、前記第１の情報入力手段または前記第２の情報入力手段によりデータが入力された後、前記画像記録手段により前記記録媒体に画像が記録されることを特徴とする請求項１に記載の記録装置。
【請求項３】
前記記録媒体はカードであり、
前記第１記憶部及び前記第２記憶部は前記カードに装着された磁気テープまたは接触式ＩＣチップまたは非接触式ＩＣチップであり、
前記第１の情報入力手段及び前記第２の情報入力手段は、前記カードに装着された記憶部に対応するは磁気記録ユニットまたは接触式ＩＣ記録ユニットまたは非接触式ＩＣ記録ユニットであることを特徴とする請求項２に記載の記録装置。
【請求項４】
前記画像記録手段に前記記録媒体を搬送する第３の搬送手段と、
前記第３の搬送手段により前記記録媒体を搬送する際に、前記記録媒体の斜行を矯正する第３の矯正手段とを有することを特徴とする請求項３に記載の記録装置。
【請求項５】
前記第１の搬送手段による前記記録媒体の搬送方向と、前記第２の搬送手段による前記記録媒体の搬送方向とは互いに異なり、前記搬入手段による搬入された前記記録媒体の搬送方向を変更する変更手段とを更に有することを特徴とする請求項４に記載の記録装置。
【請求項６】
前記変更手段は、
前記記録装置に旋回動可能に軸受け支持されたフレームと、
前記フレームに取り付けられた第１のローラ対と第２のローラ対とで構成され、
前記記録媒体の搬送方向に関し２つの端部が前記第１のローラ対と第２のローラ対のそれぞれにより挟持された状態で前記フレームを回転させることで、前記記録媒体の搬送方向が変更されることを特徴とする請求項５に記載の記録装置。
【請求項７】
前記変更手段を駆動して前記記録媒体の搬送方向を前記磁気記録ユニットまたは前記接触式ＩＣ記録ユニットまたは前記非接触式ＩＣ記録ユニットへ搬入する方向とした場合、該当する記録ユニットに対向する側にある前記記録媒体の端部を挟持する前記第１のローラ対の回転を停止した状態で該前記第１のローラ対に前記記録媒体を当接させることで前記記録媒体の斜行を矯正することを特徴とする請求項６に記載の記録装置。
【請求項８】
前記第１の搬送手段または前記第２の搬送手段は、対応する前記記録ユニットと前記変更手段との間の位置に前記記録媒体を搬送するための第３の搬送ローラ対を含むことを特徴とする請求項６に記載の記録装置。
【請求項９】
前記変更手段を駆動して前記記録媒体の搬送方向を前記記録ユニットへ搬入する方向とした場合、前記第３の搬送ローラ対の回転を停止した状態で前記第３の搬送ローラ対に対して前記記録媒体を当接させることで前記記録媒体の斜行を矯正することを特徴とする請求項８に記載の記録装置。
【請求項１０】
前記画像記録手段は、インクリボンにより転写フィルムに対して画像を記録し、前記転写フィルムに記録された画像を記録媒体に転写することにより、前記記録媒体に画像を記録することを特徴とする請求項１乃至９のいずれか１項に記載の記録装置。
【発明の詳細な説明】
【技術分野】
【０００１】
本発明は記録装置に関し、特に、例えば、プラスチックカード等の記録媒体に画像を記録するとともに、その記録媒体の記憶部に情報を入力する記録装置に関する。
【背景技術】
【０００２】
従来より、プラスチックカード等の記録媒体に顔写真や文字情報などの画像を形成する装置は広く知られている。また、各種証明用カード、商決済用カードなどとして使用されるカードには、画像を記録するのみならず、そのカードのＩＣチップや磁気テープに対して情報が入力される。この情報入力には、磁気的に情報を記録する磁気記録ユニット、電気的に情報を記録するＩＣ記録ユニットなどが知られている。従って、カード表面に対する画像記録とそのカードのＩＣチップや磁気テープに対する情報入力との両方を可能とする記録装置が幅広い用途で使用されている。
【０００３】
このため、そのような記録装置には、発行したいカードの種類や用途に応じた情報入力部を装備する必要があり、オプションユニットとして記録装置に対し着脱可能に構成された複数の情報入力装置が備えられる場合もある。
【先行技術文献】
【特許文献】
【０００４】
【特許文献１】特開２０１０−２６７５４８号公報
【発明の概要】
【発明が解決しようとする課題】
【０００５】
さて上述のように、カード等の記録媒体に対し情報入力装置で情報入力を行う際、記録装置から搬送されたカードを情報入力装置に搬送させ、カードに形成された磁気テープやＩＣチップ等に情報入力装置に設けられた磁気ヘッドや端子等から情報入力を行う。このため、情報入力装置に対してはカードの傾きや位置を矯正した状態でカードを搬送させなければならないという課題がある。
【０００６】
カードの傾きや姿勢を矯正しないまま情報入力装置にカードを搬送させてしまうと、カードに形成された磁気テープやＩＣチップ等の位置と情報入力装置に設けられた磁気ヘッドやデータ入力端子等の位置が一致せずに記録エラーが発生する場合がある。さらには、カードが大きく斜行してしまうと情報入力装置に記録装置からカードを受渡すことができず搬送ジャムが発生して、記録できずに、そのカードを機外に排出しなければならない。
【０００７】
本発明は上記従来例に鑑みてなされたもので、例えば、カードなどの記録媒体を搬送してその記憶部にデータ入力を行う際、入力エラーや搬送ジャムが発生せず、確実に情報を入力させることが可能な記録装置を提供することを目的とする。
【課題を解決するための手段】
【０００８】
上記目的を達成するために本発明の記録装置は次のような構成からなる。
【０００９】
即ち、記録媒体に画像を記録する画像記録手段と、前記記録媒体の第１記憶部にデータを入力する第１の情報入力手段と、前記第１記憶部とは異なる前記記録媒体の第２記憶部にデータを入力する第２の情報入力手段とを備えた記録装置であって、前記第１の情報入力手段に前記記録媒体を搬送する第１の搬送手段と、前記第２の情報入力手段に前記記録媒体を搬送する第２の搬送手段と、前記第１の搬送手段により前記記録媒体を搬送する際に、前記記録媒体の斜行を矯正する第１の矯正手段と、前記第２の搬送手段により前記記録媒体を搬送する際に、前記記録媒体の斜行を矯正する第２の矯正手段とを有することを特徴とすることを特徴とする。
【発明の効果】
【００１０】
本発明によれば、例えば、カードなどの記録媒体を搬送してその記憶部にデータ入力を行う際、入力エラーや搬送ジャムが発生せず、確実に情報を入力させることができるという効果がある。
【図面の簡単な説明】
【００１１】
【図１】本発明の代表的な実施例に従う記録装置の構成を示す側断面図である。
【図２】カードの斜行矯正方法を説明するためのカード搬送部の構成を示す部分斜視図である。
【図３】磁気記録ユニットへの移送方法を説明するための反転ユニットの周辺の構成を示す側断面図である。
【図４】接触式ＩＣ記録ユニットへの移送方法を説明するための反転ユニットの周辺の構成を示す側断面図である。
【図５】図１に示した記録装置の制御構成を示すブロック図である。
【発明を実施するための形態】
【００１２】
以下添付図面を参照して本発明の好適な実施例について、さらに具体的かつ詳細に説明する。しかしながら、本発明は以下に説明する実施例により限定されるものではなく、本発明の要旨を逸脱しない範囲での変更や追加があっても構わない。
【００１３】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１４】
＜記録装置の構成（図１〜図４）＞
図１は本発明の代表的な実施例である記録装置の構成を示す側断面図である。
【００１５】
記録装置１は、記録媒体として各種証明用のＩＤカード、商取引用のクレジットカードを用い、このような記録媒体に情報を記録する。また、記録装置１はインクリボンを記録ヘッド（サーマルヘッド）により加熱してインクを溶融し、そのインクを記録媒体に転写することで画像を記録する熱転写方式を採用している。このため、記録装置１は、情報記録部Ａと画像記録部Ｂと、これらにカードを供給するカード供給部Ｃが備えられる。
【００１６】
カードＫには、ＩＣチップや磁気テープなどのデータを記憶するデータ記憶部が実装される。カードＫは硬質のプラスティックでできているものもあるが、柔軟性をもたせるために薄いプラスティックでできているものもある。カードＫに実装された第２記憶部としてのＩＣチップに対しては非接触式、又は、接触式の第２の情報入力手段としてのＩＣ記録ユニットによりデータが入力される。また、カードＫに装着された第１記憶部としての磁気テープに対しては第１の情報入力手段としての磁気記録ユニットによりデータが入力される。そのため、非接触式、又は、接触式のＩＣ記録ユニットにはデータ入力端子が磁気記録ユニットには磁気ヘッドがそれぞれ所定の位置に備えられる。なお、これらのユニットのデータ入力方式については公知の技術なのでその説明は省略する。
【００１７】
［カード供給部Ｃ］
記録装置１のハウジング２にはカード供給部Ｃが設けられ、カード供給部Ｃは複数枚のカードＫを収納するカードカセット３が設けられている。カードカセット３は複数のカードＫを立位姿勢で整列して収納し、同図左端から右端にカードＫを繰り出す。そして、カードカセット３の先端には分離開口部７が設けられ、ピックアップローラ１９で最前列のカードＫから装置内に供給する。
【００１８】
［情報記録部Ａ］
カードカセット３から送られた記録媒体としてのカードＫは搬入ローラ２２から反転ユニットＦに送られる。反転ユニットＦは装置フレーム（不図示）に旋回動可能に軸受け支持されたユニットフレームと、このフレームに支持された一対、或いは複数のローラ対で構成される。
【００１９】
図１に示されるように、距離を隔てて前後に配置された反転ローラ対２０、反転ローラ対２１がユニットフレームに回転自在に軸支持されている。そして、ユニットフレームは旋回モータ（パルスモータなど）で所定方向に旋回動し、これに取付けられている反転ローラ対２０、反転ローラ対２１は搬送モータ（不図示）で正逆転方向に回転するように構成されている。この駆動機構は図示しないが、１つのパルスモータでユニットフレームの旋回動と、ローラ対の回転をクラッチで切り換えるように構成しても、ユニットフレームの旋回動とローラ対の回転を別駆動に構成してもよい。
【００２０】
従って、カードカセット３に準備されたカードＫはピックアップローラ１９と分離ローラ（アイドラコロ）９で１枚ずつ分離され下流側の反転ユニットＦに送られる。そして、反転ユニットＦはカードＫを反転ローラ対２０、反転ローラ対２１でユニット内に搬入し、ローラ対でニップした状態で所定方向に姿勢変更する。
【００２１】
反転ユニットＦの旋回方向外周には、磁気記録ユニット２４と、非接触式ＩＣ記録ユニット２３及び接触式ＩＣ記録ユニット２８と、リジェクトスタッカ２５が配置される。以下、これら３つの記録ユニットをデータ記録ユニットという。
【００２２】
さて、反転ユニットＦにより所定の角度方向に姿勢変更されたカードＫを反転ローラ対２０、２１、また搬送ローラ対１００、１０１によりデータ記録ユニットに移送すると、カードＫに磁気的若しくは電気的にデータ入力することが可能となる。また、これらのデータ記録ユニットで記録ミスが生じた場合にはカードＫをリジェクトスタッカ２５に排出する。
【００２３】
［画像記録部Ｂ］
反転ユニットＦの下流側には画像記録部Ｂが設けられ、画像記録部Ｂにカードカセット３からカードＫを移送する搬入経路Ｐ１が設けられ、搬入経路Ｐ１の上流側に反転ユニットＦが配置されている。また、搬入経路Ｐ１にはカードＫの斜行を矯正する斜行矯正ローラ対２９と、カードＫを搬送する搬送ローラ対３０が配置され、搬送モータ（ステッピングモータ：不図示）に連結されている。斜行矯正ローラ対２９と搬送ローラ対３０は、正逆転切り換え可能に構成され、反転ユニットＦから画像記録部ＢにカードＫを搬送するのと同様に画像記録部ＢからカードＫを反転ユニットＦに搬送できるようになっている。
【００２４】
画像記録部Ｂの下流側には収容スタッカ５５にカードＫを移送する搬出経路Ｐ２が設けられている。搬出経路Ｐ２にはカードＫを搬送する搬送ローラ対（搬送ベルトでも良い）３７、３８が配置され、搬送モータ（不図示）に連結されている。なお、搬送ローラ対３７、３８の間にはデカール機構３６が配置され、搬送ローラ対３７、３８間に保持されたカードＫの中央部を押圧することによってカールを矯正する。このため、デカール機構３６は昇降機構（カムなど：不図示）で図の上下方向に位置移動可能に構成されている。
【００２５】
［カード斜行矯正の方法］
図２はカードＫの斜行矯正方法を説明するためのカード搬送部の構成を示す部分斜視図である。
【００２６】
反転ユニットＦから搬入経路Ｐ１に搬送されたカードＫは、図２に示されるように、第３搬送手段としての斜行矯正ローラ対２９と搬送ローラ対３０との間で斜行矯正を行う。斜行矯正ローラ対２９の周辺には記録装置１の筐体に固定されカードＫの端部を規制する第３の矯正手段としての斜行矯正ガイド８１と可動ガイド８０が設けられている。可動ガイド８０は押圧部材（例えば、ばね）８２によって斜行矯正ガイド８１側に常に付勢されている。
【００２７】
搬入経路Ｐ１において、カードＫが斜行矯正ローラ対２９のみで搬送される領域になると、斜行矯正ローラ対２９の保持圧に対し可動ガイド８０の押圧力が勝ることで、搬送されるカードＫは斜行矯正ガイド８１に当接することでカードＫの斜行矯正がなされる。斜行矯正が完了したカードＫは搬送方向の下流にある保持圧の高い搬送ローラ対３０により挟持、搬送されることでカードＫの姿勢を維持することができる。斜行矯正ローラ対２９の保持圧はカードＫを搬送するのに必要な圧のみ（０．８Ｎ）を掛けているのに対し、可動ガイド８０がカードＫの姿勢を変える圧（１．０Ｎ）を掛けているため、カードＫは斜行矯正ガイド８１に当接し斜行が矯正される。その後、斜行矯正されたカードＫの姿勢を維持するため搬送ローラ対３０は可動ガイド８０の押圧力より高い保持圧（１．６Ｎ）で挟持、搬送し、カードＫを画像記録部Ｂへ搬送する。
【００２８】
［画像記録部Ｂ］
図１に戻って画像記録部Ｂについて説明を続ける。
【００２９】
画像記録部Ｂは、カードＫの表裏面に顔写真、文字データなど画像を形成する。画像記録部Ｂには転写プラテン３１が設けられ、プラテン３１上でカード表面に画像が転写記録される。画像記録部Ｂでは、転写フィルム４６（中間転写フィルム）上に画像形成し、このフィルムの画像を転写プラテン３１上でカード面に転写する。このため、記録装置１の筐体には、インクリボンを収容するカセット４２と転写フィルムを収容するカセット５０が備えられる。
【００３０】
カセット４２は、昇華型インクリボンその他の熱転写インクリボン４１を供給スプール４３と巻取スプール４４と間に巻装し、記録装置１の筐体に着脱可能に装着される。巻取スプール４４にはモータＭｒ１が連結されている。また、装置側にはサーマルヘッド４０と画像形成プラテン４５がインクリボン４１を挟んで対向配置されている。
【００３１】
サーマルヘッド４０は熱制御され、画像データに従ってサーマルヘッド４０を加熱することによってインクリボン４１を転写フィルム４６に画像を熱転写する。このため、サーマルヘッド４０の熱制御と同期して巻取スプール４４が回転し、インクリボン４１を所定速度で巻き取るように構成されている。また、サーマルヘッド４０挟んでインクリボン４１とは反対側にはサーマルヘッド４０を冷却するための冷却ファンｆ１が設けられる。
【００３２】
一方、カセット５０も記録装置１の筐体に着脱可能に装着される。カセット５０に装填された転写フィルム４６が画像形成プラテン（プラテンローラ）４５とインクリボン４１との間を走行して転写フィルム４６上に画像が熱転写される。このため、転写フィルム４６は巻取スプール４８と供給スプール４７に巻回され、転写フィルム４６は転写プラテン３１と転写ローラ３３との間に移送される。転写フィルム４６の移送ローラ４９の周面にピンチローラ３２ａと３２ｂが配置され、移送ローラ４９は駆動モータ（不図示）に連結されている。また、巻取スプール４８はＤＣモータＭｒ３に連結されており、供給スプール４７もＤＣモータＭｒ２に連結されている。
【００３３】
また、転写プラテン３１に転写フィルム４６を案内するガイドコロ３４ａと、転写プラテン３１を記録媒体から剥離する剥離コロ（剥離部材）３４ｂが転写フィルム４６の移送経路に沿って転写プラテン３１の上流側と下流側に設けられる。そして、転写処理時のカード搬送方向に対して剥離コロの下流側直後にはカードＫの転写面側を支持する支持ピン５１（支持部材）が設けられている。支持ピン５１は剥離コロ３４ｂを支持するブラケット（不図示）に設けられており、剥離コロ３４ｂと支持ピン５１は一定の位置関係を保持している。また、ガイドコロ３４ａと剥離コロ３４ｂとの間隔Ｌ１はカードＫの画像形成方向（搬送方向）長さＬｃより短く（Ｌ１＜Ｌｃ）設定されている。
【００３４】
転写フィルム４６を挟んで転写プラテン３１と転写ローラ３３が対向配置されている。転写ローラ３３は転写フィルム４６上に形成された画像をカードＫに加熱圧接して転写する。このため、転写ローラ３３はヒートローラで構成され、フィルムカセット５０の内側から転写プラテン３１に圧接・離間するように昇降機構（不図示）が備えられている。
【００３５】
なお、インクリボン４１の位置はセンサＳｅ１により検出され、転写フィルム４６の有無はセンサＳｅ２により検出される。また、画像記録部Ｂには記録装置１内に発生した熱を装置外部に排出するためのファンｆ２が設けられている。
【００３６】
以上の構成において、サーマルヘッド４０を用いて中間転写フィルムに画像を形成するユニットを１次転写部、転写ローラ３３を用いて１次転写部で中間転写フィルム４６に形成した画像をカードＫに転写するユニットを２次転写部という。
【００３７】
画像記録部Ｂの下流側にはカード収容部Ｄが設けられ、転写プラテン３１から送られたカードＫを収容スタッカ５５に収容する。収容スタッカ５５は昇降機構５６とレベルセンサ（不図示）で、カード収容量に応じて昇降するように構成されている。
【００３８】
[データ記録ユニット２３、２４、２８への移送方法]
次に、反転ユニットＦからデータ記録ユニットへのカード移送方法について説明する。
【００３９】
カードカセット３から供給されたカードＫは、下流側の反転ユニットＦに送られ反転ローラ対２０、反転ローラ対２１で反転ユニットＦ内に搬入される。その後、そのカードは反転ローラ対２０、２１それぞれでニップした状態で所定角度方向に姿勢が変更され、各データ記録ユニットへと移送される。
【００４０】
反転ユニットＦからデータ記録ユニットへカードＫを移送する際、従来の構成ではカードＫの斜行矯正を行っていない。このため、カードＫに実装された第２記憶部としてのＩＣチップの位置が合わず記録ミスが発生したり、カードＫの受渡し時に搬送ジャムが発生することがあった。
【００４１】
そこで、この実施例では、データ記録ユニットへカードＫを移送する前にカードＫの斜行矯正を行うことで上記問題を解決する。
【００４２】
［磁気記録ユニット２４への移送及び斜行矯方法］
図３は第１の情報入力手段としての磁気記録ユニット２４への移送方法を説明するための反転ユニットＦの周辺の構成を示す側断面図である。
【００４３】
まず、図３（ａ）に示すように、カードカセット３から供給されたカードＫを反転ユニットＦの反転ローラ対２０で受取り、反転ユニットＦ内に搬送する。
【００４４】
この時、停止している第１の搬送ローラ対としての反転ローラ対２１にカードＫの先端部Ｋ１を当接させる。このため、第２の搬送ローラ対としての反転ローラ対２０が回転しカードＫを搬送し、且つ反転ローラ対２０の保持圧Ｎ２０と反転ローラ対２１の保持圧Ｎ２１との関係は、Ｎ２０＜Ｎ２１となっており斜行矯正が可能となる。
【００４５】
第１の搬送手段としての反転ローラ対２０及び反転ローラ対２１によって第１の矯正手段としてのカードの斜行矯正を終了させる。その後、図３（ｂ）に示すように反転ローラ対２０と反転ローラ対２１でカードの端部Ｋ１、Ｋ２をニップした状態で反転ユニットＦを反時計回り（ＣＣＷ）方向に回転させる。反転ユニットＦが反転ローラ対２０と反転ローラ２１対とを結ぶ方向が磁気記録ユニット２４のカード搬入方向と同一方向となるまで回転後、反転ユニットＦの回転を停止させる。そして、図３（ｃ）に示すように第１の情報入力手段としての磁気記録ユニット２４にカードＫを移送し磁気的にデータ入力を行う。
【００４６】
データ入力が完了後、再度カードＫを反転ユニットＦの内部で反転ローラ対２０と反転ローラ対２１により挟持するまで搬入し、その後、図３（ｃ）に示すように、時計回り（ＣＷ）方向に反転ユニットＦを回転させる。そして、図３（ｃ）〜図３（ｄ）に示すように、反転ユニットＦを、反転ローラ対２０と反転ローラ対２１とを結ぶ方向が図３（ｄ）に示す矢印方向となるまで回転後、反転ユニットＦの回転を停止させる。その後、図３（ｄ）に示すように、カードＫを下流の画像記録部Ｂに搬送する。
【００４７】
［接触式ＩＣ記録ユニット２８への移送及び斜行矯正方法］
図４は第２の情報入力手段としての接触式ＩＣ記録ユニット２８への移送方法を説明するための反転ユニットＦの周辺の構成を示す側断面図である。
【００４８】
まず、図４（ａ）に示すように、カードカセット３から供給されたカードＫを反転ユニットＦの反転ローラ対２０で受取り、反転ユニットＦ内に搬送する。そして、図４（ａ）〜図４（ｂ）に示すように反転ローラ対２０と反転ローラ対２１でカードＫの端部Ｋ１、Ｋ２をニップした状態で反転ユニットＦを時計回り（ＣＣＷ）方向に回転させる。
【００４９】
反転ユニットＦが反転ローラ対２０と反転ローラ対２１とを結ぶ方向が第２の情報入力手段としての接触式ＩＣ記録ユニット２８のカード搬入方向と同一方向となるまで回転後、反転ユニットＦの回転を停止させる。そして、図４（ｂ）に示すように、反転ユニットＦの内部の反転ローラ対２０と反転ローラ対２１とは異なる第３の搬送ローラ対としての搬送ローラ対１０１にカードＫの後端部Ｋ２を当接させ、第２の矯正手段としてのカードＫの斜行矯正を行う。ここで、第２の搬送手段は、反転ローラ対２０、反転ローラ対２１及び搬送ローラ対１０１で構成される。
【００５０】
この時、反転ユニットＦと接触式ＩＣ記録ユニット２８の間の位置に配置され、停止している第３の搬送ローラ対としての搬送ローラ対１０１にカードＫの後端部Ｋ２を当接させる。このため、反転ローラ対２０が回転しカードＫを搬送し、且つ反転ローラ対２０の保持圧Ｎ２０と搬送ローラ対１０１の保持圧Ｎ１０１との関係はＮ２０＜Ｎ１０１となっている。従って、斜行矯正が可能となる。カードＫの斜行矯正を終了した後、図４（ｃ）に示すように接触式ＩＣ記録ユニット２８にカードＫを移送し電気的にデータ入力を行う。データ入力が完了後、搬送ローラ対１０１を逆回転させ、図４（ｄ）に示すように、カードＫを下流の画像記録部Ｂに搬送する。
【００５１】
図５は図１〜図４に示した記録装置の制御構成を示すブロック図である。
【００５２】
図５に示すように、記録装置１はインタフェース（不図示）を介してパーソナルコンピュータなどのホスト装置に接続されており、ホスト装置は記録装置１に対して記録データを送信して、データ入力動作や記録動作等を指示することできる。なお、記録装置１は操作パネル（不図示）を備えており、ホスト装置２０１からの動作指示の他、操作パネルからの動作指示も可能である。
【００５３】
記録装置１は、装置全体の動作制御を行うＣＰＵ３０１と、制御プログラムやプログラムデータを格納したＲＯＭ３０２と、ＣＰＵ３０１が制御プログラムを実行するにあたり作業領域として利用するＲＡＭ３０３とを備えている。また、ファンｆ１、ｆ２による記録装置内部の冷却動作を制御するためのサーミスタ３０４を備える。サーミスタ３０４からの出力は、ＣＰＵ３０１に入力され、ファンｆ１、ｆ２による冷却動作を制御するのに用いられる。
【００５４】
ＣＰＵ３０１には、カードＫのＩＣチップや磁気テープなどへのデータ入力を制御するデータ入力制御部３１０とカードＫへの画像記録を制御する画像記録制御部３２０と反転ユニットＦを用いたカード搬送を制御するカード搬送制御部３３０とが接続される。
【００５５】
データ入力制御部３１０は非接触式ＩＣ記録ユニット２３又は接触式ＩＣ記録ユニット２８に搬入されたカードＫのＩＣにデータ記録を行う制御用ＩＣ３１１と磁気記録ユニット２４に搬入されたカードＫの磁気テープに記録を行う制御用ＩＣ３１２を制御する。画像記録制御部３２０は、サーマルヘッド４０の動作を制御する制御用ＩＣ３２１、インクリボン４１を巻き取る巻取スプール４４を駆動するモータＭｒ１、転写フィルム４６を巻き取る巻取スプール４７を駆動するモータＭｒ３の動作を制御する。
【００５６】
さらに、画像記録制御部３２０は、移送ローラ４９を駆動するモータ（不図示）を駆動する駆動回路３２４やデカール機構３６の昇降を制御するモータ（不図示）を駆動する駆動回路３２５を制御する。
【００５７】
カード搬送制御部３３０は、反転ユニットＦと、搬送ローラ対１００、１０１の回転を制御する回転制御回路３５０と、搬入ローラ対２２の回転を制御する制御回路３６０の動作を制御する。さらに、カード搬送制御部３３０は反転ユニットＦ自体を回転させる旋回モータを制御する制御回路３４１と反転ローラ対２０、２１の回転を制御する制御回路３４２の動作を制御する。
【００５８】
従って以上説明した実施例に従えば、クレジットカードのような記録媒体のＩＣチップや磁気テープに対してデータ入力を行うためにデータ記録ユニットまでカード移送を行う際にも斜行矯正を行い、正確なカード移送を行うことができる。これにより、カードＫに実装されたＩＣチップや磁気テープの位置とデータ記録ユニットのデータ入力位置（磁気ヘッドやデータ入力端子の位置）を正確に合わせることが可能になり、データ入力を正確に行うことが可能になる。また、データ記録ユニットと反転ユニットとの間のカードＫの受渡し時も正確に実行され、ジャム発生が防止される。
【００５９】
なお以上説明した実施例の構成では、磁気記録ユニット２４と接触式ＩＣ記録ユニット２８にカードＫを移送させるに際の斜行矯正を行ったが、非接触式ＩＣ記録ユニット２３にカードＫを移送させる際にも斜行矯正を行っても良い。
【００６０】
また以上説明した実施例の構成では、磁気記録ユニット２４へのカード移送において反転ユニットＦの第２の搬送ローラ対としての反転ローラ対２０と第１の搬送ローラ対としての反転ローラ対２１とでカードＫの斜行矯正を行っている。しかしながら、本発明はこれによって限定されるものではない。例えば、回転が停止している第３の搬送ローラ対としての搬送ローラ対１００にカードＫの端部Ｋ１を当接させ斜行矯正を行っても良い。あるいは、接触式ＩＣ記録ユニット２８へのカード移送において、第２の搬送ローラ対としての反転ローラ対２０と第１の搬送ローラ対としての反転ローラ対２１とでカードＫの斜行矯正を行っても良い。更に第３の搬送ローラ対としてのローラ対を配置して、第３の搬送ローラ対にカードＫの端部Ｋ１を当接させ斜行矯正を行っても良い。
【００６１】
しかしながら、情報記録部Ａに最も近い反転ユニットの反転ローラ又は搬送ローラによりカードＫの斜行矯正を行うことで、斜行矯正後に記録媒体を搬送する距離を減らすことができるので、情報入力エラーの発生を低減する点からは好ましい。
【００６２】
さらに、以上説明した実施例の構成では、停止している搬送ローラや反転ローラに対しカードＫの端部を当接させ斜行矯正を行っているが、本発明はこれによって限定されるものではない。例えば、図２に示した斜行矯正部のように、固定された斜行矯正ガイドに対し押圧部材によって常に付勢された可動ガイドを設け、斜行矯正を行っても良い。また、固定された搬送ガイドに対しローラによってカードＫを一方向に付勢することで斜行矯正を行っても良い。
【符号の説明】
【００６３】
１  記録装置、２０〜２１、反転ローラ対、４０  サーマルヘッド、
４１  インクリボン、４３  供給スプール、４４  巻取スプール、４６  転写フィルム、
４７  供給スプール、４８  巻取スプール、１００〜１０１  搬送ローラ対、
Ｆ  反転ユニット、Ｍｒ１〜Ｍｒ３  モータ、Ｓｅ１〜Ｓｅ２  センサ
【図１】
2020112947.tif 000003
【図２】
2020112947.tif 000004
【図３】
2020112947.tif 000005
【図４】
2020112947.tif 000006
【図５】
2020112947.tif 000007